(57)【要約】【課題】  構造の簡素化と組付け作業の容易化及び製造コストの低廉化を図りながら板状のタンブラーを頑丈に構成する。【解決手段】  前面開口部１ａを備えた外筒１内に、キーＫが挿入されるキー挿入孔４及びタンブラー装着孔５を備えた内筒６が回転可能に装備され、内筒６のタンブラー装着孔５内には、キー挿入孔４に臨むキー係合孔と、タンブラー装着孔５に対応する外筒１の内周面の被係合部に対して係脱自在な係合部とを備えた板状のタンブラーＴが係脱方向に作動可能に配置され、タンブラーＴに、係脱方向に沿う姿勢でキー係合孔に突出する補強体を設け、この補強体におけるキー係合孔に突出する一端部を、キー挿入孔４に挿入された正規のキーＫとの当接によって係合部を外筒１の被係合部から離脱した係合解除状態に作動されるピン部に構成してある。【選択図】  図２
2015081472.tif 000002
【特許請求の範囲】
【請求項１】
前面開口部を備えた外筒内に、前記前面開口部側からキーが挿入されるキー挿入孔及びタンブラー装着孔を備えた内筒が回転可能に装備され、前記内筒のタンブラー装着孔内には、前記キー挿入孔に臨むキー係合孔と、前記タンブラー装着孔に対応する前記外筒の内周面の被係合部に対して係脱自在な係合部とを備えた板状のタンブラーが係脱方向に作動可能に配置されているシリンダー錠であって、
前記タンブラーに、前記係脱方向に沿う姿勢で前記キー係合孔に突出する補強体を設け、この補強体における前記キー係合孔に突出する一端部を、前記キー挿入孔に挿入された正規のキーとの当接によって前記係合部を前記外筒の前記被係合部から離脱した係合解除状態に作動されるピン部に構成してあるシリンダー錠。
【請求項２】
前記タンブラーと前記内筒及び前記外筒とのうち、少なくとも前記タンブラーが樹脂から製作されている請求項１記載のシリンダー錠。
【請求項３】
前記係合部が、前記タンブラーの外側縁に対して前記係脱方向の外方側に突出する状態で一体形成されているとともに、前記補強体が、前記タンブラーから前記係合部にまで延出する状態で一体形成されている請求項１又は２記載のシリンダー錠。
【請求項４】
前記タンブラーの幅方向の複数箇所に前記補強体が一体形成され、そのうちの一つの補強体における前記キー係合孔に突出する一端部が前記ピン部に構成されている請求項１〜３のいずれか１項に記載のシリンダー錠。
【請求項５】
前記補強体が、前記タンブラーにおける前記キー係合孔の前記係脱方向の両側部に形成されている請求項１〜４のいずれか１項に記載のシリンダー錠。
【請求項６】
前記タンブラーの幅方向両側部と前記内筒の内面との間の各々には、前記タンブラーを前記係脱方向の係合側に移動付勢する弾性体が設けられている請求項１〜５のいずれか１項に記載のシリンダー錠。
【発明の詳細な説明】
【技術分野】
【０００１】
本発明はシリンダー錠に関する。
【背景技術】
【０００２】
従来のシリンダー錠では、前面に開口部を備えた外筒内に、当該外筒の前面開口部側からキーが挿入されるキー挿入孔及びタンブラー装着孔を備えた内筒が回転可能に装備され、この内筒のタンブラー装着孔内には、キー挿入孔に臨むキー係合孔を備えた複数の板状のタンブラーが筒径方向に作動可能に配置されている。
【０００３】
さらに、内筒には、当該内筒の筒軸芯方向及びタンブラーの作動方向に対して交差する筒径方向からタンブラー装着孔に連通する状態で内筒の内周面と外周面とにわたって貫通するガイド孔を形成し、このガイド孔には、外筒の内周面に形成された溝状の被係合部に対して筒径方向から係脱自在な係合体と、この係合体を筒径方向外方の係合側に移動付勢する第１弾性部材とを設けるとともに、各タンブラーの幅方向一側方の側辺部には、キー挿入孔に挿入された正規のキー（正規の解除コードを備えた運用キー）の回転初期操作に伴って、外筒の被係合部から筒径方向内方側に離脱移動する係合体の基端部の没入移動を許容する係合解除凹部を形成してある。
【０００４】
各タンブラーの係合解除凹部は、キー挿入孔に挿入された正規のキーとのと当接に伴う作動によって、内筒のガイド孔に合致するように構成されているとともに、各タンブラーの幅方向他側方の側辺部に突出形成されたアーム部と内筒の内周面に形成されたバネ受け部との間には、タンブラーを作動方向の一側方に移動付勢する第２弾性部材が装着されている（例えば、特許文献１参照）。
【先行技術文献】
【特許文献】
【０００５】
【特許文献１】特開２０１３−０１４９５３号公報
【発明の概要】
【発明が解決しようとする課題】
【０００６】
従来のシリンダー錠では、内筒に、複数個のタンブラーと、内筒の筒軸芯方向及びタンブラーの作動方向に対して交差する筒径方向に作動する係合体と、係合体を筒径方向外方の係合側に移動付勢する第１弾性部材と、各タンブラーを作動方向の一側方に移動付勢する第２弾性部材とを組み付ける必要があり、構造の複雑化と組付け作業の煩雑化及び製造コストの高騰化を招来し易い。
【０００７】
しかも、板状の各タンブラーの幅方向一側方の側辺部には、外筒の被係合部から筒径方向内方側に離脱移動する係合体の基端部の没入移動を許容する係合解除凹部を切欠き形成する必要があるため、各タンブラーを機械強度の高い金属材料で製作する必要がある。
【０００８】
本発明は、上述の実状に鑑みて為されたものであって、その主たる課題は、構造の簡素化と組付け作業の容易化及び製造コストの低廉化を図りながら板状のタンブラーを頑丈に構成することのできるシリンダー錠を提供する点にある。
【課題を解決するための手段】
【０００９】
本発明による第１の特徴構成は、前面開口部を備えた外筒内に、前記前面開口部側からキーが挿入されるキー挿入孔及びタンブラー装着孔を備えた内筒が回転可能に装備され、前記内筒のタンブラー装着孔内には、前記キー挿入孔に臨むキー係合孔と、前記タンブラー装着孔に対応する前記外筒の内周面の被係合部に対して係脱自在な係合部とを備えた板状のタンブラーが係脱方向に作動可能に配置されているシリンダー錠であって、
前記タンブラーに、前記係脱方向に沿う姿勢で前記キー係合孔に突出する補強体を設け、この補強体における前記キー係合孔に突出する一端部を、前記キー挿入孔に挿入された正規のキーとの当接によって前記係合部を前記外筒の前記被係合部から離脱した係合解除状態に作動されるピン部に構成してある点にある。
【００１０】
上記構成によれば、内筒のタンブラー装着孔に配置されるタンブラー自体に、外筒の内周面に形成されている被係合部に対して係脱自在な係合部が備えられ、しかも、このタンブラーに設けられた補強体が一端部をキー係合孔に突出させて、この補強体の一端部を、キー挿入孔に挿入された正規のキーとの当接によってタンブラーの係合部を外筒の被係合部から離脱させた係合解除状態に作動させるためのピン部に兼用構成してあるが故に、従来のシリンダー錠に比して部品点数の削減を図りながらタンブラー自体を頑丈に構成することができる。
【００１１】
したがって、シリンダー錠の構造の簡素化と組付け作業の容易化及び製造コストの低廉化を図りながら板状のタンブラーを頑丈に構成することができる。
【００１２】
本発明による第２の特徴構成は、前記タンブラーと前記内筒及び前記外筒とのうち、少なくとも前記タンブラーが樹脂から製作されている点にある。
【００１３】
上記構成によれば、タンブラーを樹脂製にしてシリンダー錠の軽量化を図りながらも、外筒及び内筒に比して薄くて小さなタンブラー自体を、ピン部を兼用構成する補強体で頑丈に構成することができる。
【００１４】
特に、タンブラーよりも大きな外筒又は内筒或いは外筒と内筒が樹脂で製作されている場合には、シリンダー錠の軽量化を促進することができるばかりでなく、外筒及び内筒に接触するタンブラーの摩耗を抑制することができる。
【００１５】
本発明による第３の特徴構成は、前記係合部が、前記タンブラーの外側縁に対して前記係脱方向の外方側に突出する状態で一体形成されているとともに、前記補強体が、前記タンブラーから前記係合部にまで延出する状態で一体形成されている点にある。
【００１６】
上記構成によれば、正規の解除コードを備えていない不適合のキーによる回転操作によって外力を受けるタンブラーの係合部も、タンブラーの補強体を利用した延長形成によって頑丈に構成することができる。
【００１７】
本発明による第４の特徴構成は、前記タンブラーの幅方向の複数箇所に前記補強体が一体形成され、そのうちの一つの補強体における前記キー係合孔に突出する一端部が前記ピン部に構成されている点にある。
【００１８】
上記構成によれば、タンブラーをそれの幅方向の複数箇所に一体形成された補強体によってタンブラーをより頑丈に構成することができ、しかも、この複数の補強体を選択してピン部を構成することができるので、鍵番号を容易に増加することができる。
【００１９】
本発明による第５の特徴構成は、前記補強体が、前記タンブラーにおける前記キー係合孔の前記係脱方向の両側部に形成されている点にある。
【００２０】
上記構成によれば、補強体が、タンブラーにおけるキー係合孔の係脱方向の一側部に形成されている場合に比して、タンブラーを頑丈に構成することができ、しかも、タンブラーにおけるキー係合孔の係脱方向の両側部に形成されている複数の補強体を選択してピン部を構成することができるので、鍵番号を容易に増加することができる。
【００２１】
本発明による第６の特徴構成は、前記タンブラーの幅方向両側部と前記内筒の内面との間の各々には、前記タンブラーを前記係脱方向の係合側に移動付勢する弾性体が設けられている点にある。
【００２２】
上記構成によれば、例えば、タンブラーの幅方向一側部と内筒の内面との間に、タンブラーを係脱方向の係合側に移動付勢する一つの弾性体を設けてある場合に比して、タンブラーをこじれの無い又はこじれを抑制した状態で確実、円滑に作動させることができる。
【図面の簡単な説明】
【００２３】
【図１】本発明の第１実施形態におけるシリンダー錠の外筒を透視した解錠状態（ａ）と施錠操作状態（ｂ）の斜視図
【図２】シリンダー錠の分解斜視図
【図３】交換キーを差し込んだ内筒と外筒との組付け前の前方側の斜視図
【図４】交換キーを差し込んだ内筒と外筒との組付け前の後方側の斜視図
【図５】内筒の連結軸部と回転作動体との組付け前の後方側の斜視図
【図６】外筒とケースとの組付け前の斜視図
【図７】外筒とケースとの嵌合当初の斜視図
【図８】外筒とケースとの嵌合当初の一部切欠き側面図
【図９】ケースに対して外筒を回転操作して向き姿勢を合わせたときの斜視図
【図１０】ケースに対して外筒を回転操作して向き姿勢を合わせたときの一部切欠き側面図
【図１１】ケースに対して外筒を所定の向き姿勢で押込み装着したときの斜視図
【図１２】ケースに対して外筒を所定の向き姿勢で押込み装着したときの一部切欠き側面図
【図１３】ケースと蓋カバーとの組付け前の斜視図
【図１４】第１番目（ａ）〜第４番目（ｄ）までのタンブラーの正面図
【図１５】第５番目（ｅ）〜第８番目（ｈ）までのタンブラーの正面図
【図１６】中筒の斜視図
【図１７】運用キーの斜視図
【図１８】運用キー挿入前の縦断面図と第７，８番目のタンブラー装着位置での横断面図
【図１９】運用キー挿入後の縦断面図と第７，８番目のタンブラー装着位置での横断面図
【図２０】交換キー挿入後の縦断面図と第７，８番目のタンブラー装着位置での横断面図
【図２１】交換キーと中筒の動作状態の斜視図
【図２２】マスターキー挿入後の縦断面図と第７，８番目のタンブラー装着位置での横断面図
【図２３】マスターキーと中筒の動作状態の斜視図
【発明を実施するための形態】
【００２４】
〔第１実施形態〕
図１〜図２３は、本発明のシリンダー錠を示し、前面に開口する円形の前面開口部１ａを備えた樹脂製の外筒１と、この外筒１の基端部１Ａが嵌合接続される嵌合接続部２Ａを備えた直方体状の樹脂製のケース２と、このケース２の底面側の開口部を閉止する樹脂製の蓋カバー３とからなるハウジングＨが備えられている。
【００２５】
このハウジングＨの外筒１に形成されている円筒状の内部空間Ｓ１には、図２に示すように、外筒１の前面開口部１ａ側から外筒１の筒軸芯である錠中心軸線Ｘに沿ってキーＫが挿入されるキー挿入孔４と、錠中心軸線Ｘに対して直交する筒径方向に貫通する複数個のタンブラー装着孔５を備えた円筒状の樹脂製の内筒６がこれの筒軸芯である錠中心軸線Ｘ周りで回転操作自在に装備されている。
【００２６】
ハウジングＨのケース２に形成されている収納凹部Ｓ２には、図２、図５、図１３に示すように、内筒６の先端部に形成されている横断面形状が四角形の連結軸部６Ａが一体回転状態で嵌合する横断面形状が四角形の連結孔７Ａを有する樹脂製の回転作動体７と、この回転作動体７の偏心ピン７Ｂに係合して当該回転作動体７の回転運動を往復運動に変換するための長孔８Ａを有する樹脂製のデットボルト（ラッチボルト）８とが装備されている。
【００２７】
外筒１の内周面における錠中心軸線Ｘを通る径方向で相対向する二箇所には、図２〜図４、図１８に示すように、内筒６の各タンブラー装着孔５に可動可能に装着される後述の樹脂製の板状のタンブラーＴのうち、キー挿入孔４から最も離間する最後端の脱着用（交換用）のタンブラーＴ８を除く残りの各タンブラーＴ1〜Ｔ７の作動方向両端に形成されている両係合部２２が筒径方向から係脱可能な被係合部の一例である被係合溝１Ｂが錠中心軸線Ｘに沿って形成されている。
【００２８】
外筒１の内周面における被係合溝１Ｂの後端相当部位には、図４に示すように、最後端の脱着用タンブラーＴ８が筒径方向から係脱可能な略環状の被係合部としての係合段部１Ｃが一体形成されている。
【００２９】
外筒１の基端部１Ａには、ケース２の天井璧２Ｂに形成された正方形の嵌合凹部２Ｃに対して錠中心軸線Ｘ方向から嵌合する正方形の嵌合鍔部１Ｄと、ケース２の嵌合凹部２Ｃの底面２ａに形成されている円形の嵌合孔２Ｄに対して錠中心軸線Ｘ方向から嵌合する嵌合筒部１Ｅとが一体形成されている。
【００３０】
外筒１の嵌合筒部１Ｅのうち、嵌合鍔部１Ｄの一方の対角線方向で相対向する部位には、図４、図５に示すように、スリット１Ｆによって筒径方向に撓み変形（弾性変形）可能な第1係止爪１Ｇが形成されているとともに、ケース２の嵌合凹部２Ｃの底面における一組の相対向する側辺の中央部には、図６に示すように、係合操作される外筒１の第1係止爪１Ｇとの接当時にスリット２Ｅによって錠中心軸線Ｘ方向に撓み変形（弾性変形）する第２係止爪２Ｆが形成されている。
【００３１】
図８に示すように、第1係止爪１Ｇの係止位置から嵌合鍔部１Ｄの内側面１ｄまでの寸法が、第２係止爪２Ｆの係止位置からケース２の天井璧２Ｂの外側面までの寸法よりも大に設定して、図７〜図９に示すように、第1係止爪１Ｇと第２係止爪２Ｆとが係合している状態で外筒１の嵌合鍔部１Ｄがケース２の嵌合凹部２Ｃから抜け出し、ケース２に対して外筒１を錠中心軸線Ｘ周りで回転操作することができる。
【００３２】
このケース２に対する外筒１の取付け姿勢を９０度単位で回転操作して変更することにより、キーＫの回転操作方向を同じに維持したまま、デットボルト８の突出方向を９０度ずつ変更することができ、しかも、施工現場においてデットボルト８の突出方向を変更する場合でも、第1係止爪１Ｇと第２係止爪２Ｆとの係合を維持したまま、外筒１の嵌合鍔部１Ｄをケース２の嵌合凹部２Ｃから抜き出して回転操作するだけで済むから、デットボルト８の突出方向の変更操作も施工現場において迅速、容易に行うことができる。
【００３３】
また、図５、図６、図１０に示すように、外筒１の嵌合筒部１Ｅの外周面には、ケース２の嵌合凹部２Ｃに対して外筒１の嵌合鍔部１Ｄを押し込みながら嵌合操作したとき、この時の押込み操作力でケース２の嵌合孔２Ｄの内周面を無理嵌め状態で通過して嵌合凹部２Ｃの下面２ｂにおける嵌合孔２Ｄの開口縁に係合することにより、ケース２の嵌合凹部２Ｃと外筒１の嵌合鍔部１Ｄとをガタツキの無い状態で嵌合連結する嵌合突起１Ｈが一体形成されている。
【００３４】
図８、図１３に示すように、ケース２の収納凹部Ｓ２における幅方向両側の側壁面２ｃ及び天井璧面２ｄが、デットボルト８の出退摺動を案内する摺動ガイド面に形成され、そのうち、両側壁面２ｃとデットボルト８の側面８ａとの間には、デットボルト８を外方に突出した施錠操作位置と収納凹部Ｓ２内に引退した解錠操作位置とに弾性力で位置保持する位置保持手段１０が設けられている。
【００３５】
この位置保持手段１０は、デットボルト８の両側面８ａにおける摺動方向の二箇所に形成された施錠位置用係合凹部１０ａと解錠位置用係合凹部１０ｂ、及び、収納凹部Ｓ２の両側壁面２ｃに形成された装着凹部１０ｃ内に装着された両係合凹部１０ａ、１０ｂに択一的に係合する位置決め用ボール１０ｄと、当該ボール１０ｄを係合方向に突出付勢する付勢手段の一例である圧縮コイルバネ１０ｅとから構成されている。
【００３６】
蓋カバー３には、図１３に示すように、ケース２の収納凹部Ｓ２の幅方向両側に位置する厚肉の側壁部２Ｇの四箇所に形成された横断面形状が四角形状の第1貫通孔１１に係入して抜止め係止する第1抜止め爪３Ａと、ケース２における収納凹部Ｓ２の奥側に位置する薄肉の側壁部２Ｈに形成された横断面形状が四角形状の第２貫通孔１２に係入して抜止め係止する第２抜止め爪３Ｂ、及び、装着凹部１０ｃ内に装着されたボール１０ｄ及び圧縮コイルバネ１０ｅの脱落を防止する閉塞凸部３Ｃが一体形成されている。
【００３７】
回転作動体７には、図５、図１３に示すように、デットボルト８に形成されたアリ溝８Ｂ内に係入する回転ガイド板７Ｃが一体形成され、この回転ガイド板７Ｃには、デットボルト８のアリ溝８Ｂに対して錠中心軸線Ｘ方向から脱着操作するための切欠き部７ａが形成されている。
【００３８】
尚、ケース２及び蓋カバー３の四隅には、図１３に示すように、扉体にビス等で取付けるための取付け孔１３、１４が形成されている。
【００３９】
また、扉体の厚みが異なる場合でも、ハウジングＨのケース２と蓋カバー３、及び、タンブラーＴを装着してある内筒６は共通部品とし、外筒１と回転作動体７のみを、扉体の厚みに対応した長さの複数種類を準備する。
【００４０】
次に、内筒６及びそれに装着されるタンブラーＴについて説明する。
内筒６は、図１〜図５に示すように、ケース２の前面側開口部に面一状態で嵌合装着されるキー挿入孔４を備えた円形状の前面板部６Ｂと、この前面板部６Ｂの外径よりも少し小径で、且つ、錠中心軸線Ｘに沿って設定間隔で複数個（当該実施形態では8個）のタンブラー装着孔５を形成してある内筒本体６Ｃと、この内筒本体６Ｃの先端部に連続する連結軸部６Ａと、回転作動体７の連結孔７Ａに対する連結軸部６Ａの係入をスムーズに案内する先細りの円柱状の係入ガイド部６Ｄとを樹脂で一体成形して構成されている。
【００４１】
図４に示すように、内筒本体６Ｃの外周面で、且つ、キー挿入孔４から最も離間する最後端位置のタンブラー装着孔５の両開口間に相当する側面部分には、外筒１の両被係合溝１Ｂを通して奥側に通過自在で、かつ、その通過位置での回転操作によって係合段部１Ｃに係合して内筒６の抜止めを行う抜止め突起６Ｅが一体形成されているとともに、前面板部６Ｂの背面には、外筒１の両被係合溝１Ｂに錠中心軸線Ｘ方向から嵌合することにより、外筒１と内筒６とを設定連結姿勢に保持する連結姿勢規制用突起６Ｆが一体形成されている。
【００４２】
内筒６の複数のタンブラー装着孔５に装着される板状のタンブラーＴのうち、最前端から最後端の一つ手目までのタンブラー装着孔５、つまり、当該実施形態では最前端の第1番目〜第7番目までのタンブラー装着孔５に装着されるタンブラーＴ１〜Ｔ７は、図１９、図２２、図２３に示すように、正規の解除コードを備えた運用キーＫa又はマスターキーＫｂで係合解除操作され、最後端のタンブラー装着孔５に装着される脱着用（交換用）のタンブラーＴ８は、図２０、図２１に示すように、交換キーＫｃでのみ係合解除される。
【００４３】
図１９、図２２に示すように、内筒６のキー挿入孔４に正規の解除コードを備えた運用キーＫa又はマスターキーＫｂを差し込み操作した状態では、運用キーＫa又はマスターキーＫｂの先端が最後端のタンブラーＴ８には届かない寸法に設定されており、第1番目〜第7番目までのタンブラーＴ１〜Ｔ７のみが係合解除され、ケース２に対する内筒６の回転操作によってデットボルト８を施錠操作位置と解錠操作位置とに切り替えることができる。
【００４４】
また、図２０、図２１に示すように、内筒６のキー挿入孔４に交換キーＫｃを差し込み操作した状態では、全てのタンブラーＴ１〜Ｔ８が係合解除されるため、ケース２から内筒６を抜き出して正規の解除コードを備えた他の内筒６に付け替えることができる。
【００４５】
図１４、図１５に示すように、第1番目〜第7番目までのタンブラーＴ１〜Ｔ７の各々を構成するタンブラー本体２０の中央部には、キー挿入孔４に臨む略矩形状のキー係合孔２１が貫通形成されているとともに、可動方向の両端に形成された弧状外端面２０ａ，２０ｂの頂点側となる周方向中央側側部位には、外筒１の両被係合溝１Ｂに対して筒径方向から係脱自在な係合部２２が係脱方向の外方側に一体的に突出形成されている。
【００４６】
第1番目〜第7番目までのタンブラーＴ１〜Ｔ７のタンブラー本体２０の各々は、キー係合孔２１の係脱方向両側に位置する弧状外端面２０ａ，２０ｂを備えた横向き板部２０Ａ，２０Ｂと、キー係合孔２１の横幅方向両側において両横向き板部２０Ａ，２０Ｂを繋ぐ縦向き板部２０Ｃ，２０Ｄとを枠状に樹脂で一体成形して構成されている。
【００４７】
タンブラーＴ１〜Ｔ７の各々の両横向き板部２０Ａ，２０Ｂにおける幅方向の二箇所には、係合部２２の横幅を最大外側幅とする状態で係脱方向又はそれに近い方向に沿って表裏に隆起する略円柱状の補強体２３を一体形成してある。
【００４８】
そのうち、係合解除移動側（図の下方側）に位置する横向き板部２０Ｂの一方の補強体２３の一端部を、係脱方向に沿ってキー係合孔２１内に突出形成するとともに、このキー係合孔２１内に突出する補強体２３の突出補強体２３Ａの先端部を円錐状又は裁頭円錐状に形成して、キー挿入孔４に挿入された正規のキーＫとの当接によってタンブラーＴの係合部２２を外筒１の両被係合溝１Ｂから離脱した係合解除状態に作動されるピン部２４に構成してある。
【００４９】
このピン部２４を構成する補強体２３以外の各補強体２３の一端部２３ａは、キー係合孔２１の開口内面２１ａと同じ位置で面一に形成されているとともに、全ての補強体２３の他端部２３ｂは、両係合部２２の先端にまで係脱方向に沿って延出する状態で一体形成されている。
【００５０】
図１６に示すように、内筒６の第1番目〜第7番目までの各タンブラー装着孔５の内面５ａにおける左右方向の二箇所には、タンブラーＴ１〜Ｔ７の各々の補強体２３の外面に摺接して各タンブラーＴ１〜Ｔ７の係脱方向の移動を案内する弧状の摺接ガイド面５ｂが形成されている。
【００５１】
図１４、図１５、図１８〜図２０に示すように、タンブラーＴ１〜Ｔ７の各々の両横向き板部２０Ａ，２０Ｂのうち、係合移動側（図の上方側）の横向き板部２０Ａの幅方向両側部に突出形成された腕部２５と、両腕部２５と係脱方向で相対向する内筒６の内面に形成されたバネ受け部６Ｇとの間の各々には、タンブラーＴ１〜Ｔ７の各々を係脱方向の係合側に移動付勢する弾性体の一例である圧縮コイルバネ２６が設けられている。
【００５２】
各腕部２５には、圧縮コイルバネ２６の端部に係合する半球状の外れ止め突起２５ａが一体形成されている。
【００５３】
タンブラーＴ１〜Ｔ７の各々の縦向き板部２０Ｃ，２０Ｄのうち、一方の縦向き板部２０Ｄにおけるキー係合孔２１側の内面には、内筒６のキー挿入孔４に差し込み操作されたマスターキーＫｂの一側辺に形成された強制解除溝３１（図２３参照）又は交換キーＫｃの一側辺に形成された強制解除溝３２（図２１参照）との当接によって強制的に係合解除される解除作動面２７が段差状態で形成されている。
【００５４】
タンブラーＴの種類としては、ピン部２４の突出位置、高さの異なる複数種類のものから構成され、当該実施形態では６種類のタンブラーＴから構成されている。
【００５５】
タンブラーＴの第1種類目の形態は、図１４（ｄ）に示すように、横幅方向の一方（図の左側）に位置する補強体２３のピン部２４の頂点を解除作動面２７の高さ位置よりも低く構成してある。
この第１種類目のタンブラーＴは、当該実施形態においては第４番目のタンブラーＴ４として使用されている。
【００５６】
タンブラーＴの第２種類目の形態は、図１５（ｆ）に示すように、横幅方向の一方（図の左側）に位置する補強体２３のピン部２４の頂点を解除作動面２７の高さ位置よりも少し高く構成してある。
この第２種類目のタンブラーＴは、当該実施形態においては第６番目のタンブラーＴ６として使用されている。
【００５７】
タンブラーＴの第３種類目の形態は、図１４（ｂ）に示すように、横幅方向の一方（図の左側）に位置する補強体２３のピン部２４の頂点を解除作動面２７よりもピン部２４の高さ分だけ高く構成してある。
この第３種類目のタンブラーＴは、当該実施形態においては第２番目のタンブラーＴ２として使用されている。
【００５８】
タンブラーＴの第４種類目の形態は、図１５（e）に示すように、横幅方向の他方（図の右側）に位置する補強体２３のピン部２４の頂点を解除作動面２７の高さ位置よりも低く構成してある。
この第４種類目のタンブラーＴは、当該実施形態においては第５番目のタンブラーＴ５として使用されている。
【００５９】
タンブラーＴの第５種類目の形態は、図１４（a）及び図１５（ｇ）に示すように、横幅方向の他方（図の右側）に位置する補強体２３のピン部２４の頂点を解除作動面２７の高さ位置よりも少し高く構成してある。
この第５種類目のタンブラーＴは、当該実施形態においては第１番目及び第７番目のタンブラーＴ１、Ｔ７として使用されている。
【００６０】
タンブラーＴの第６種類目の形態は、図１４（ｃ）に示すように、横幅方向の他方（図のひだり右側）に位置する補強体２３のピン部２４の頂点を解除作動面２７よりもピン部２４の高さ分だけ高く構成してある。
この第６種類目のタンブラーＴは、当該実施形態においては第３番目のタンブラーＴ３として使用されている。
【００６１】
そして、タンブラーＴ１〜Ｔ７は、上述の６種類のタンブラーＴの中から適宜組み合わせて構成され、この組み合わせによって確定する正規の解除コードに基づいて、運用キーＫaの一側面には、図１７に示すように、タンブラーＴ１〜Ｔ７の各ピン部２４と係合又は当接して当該タンブラーＴ１〜Ｔ７の両係合部２２を外筒１の両被係合溝１Ｂから離脱）Ａが形成されている。
【００６２】
この運用キーＫaの一側辺には、タンブラーＴ１〜Ｔ７の一方の縦向き板部２０Ｄに形成されている解除作動面２７との干渉を回避するための回避溝２９が形成されている。
【００６３】
また、図２２、図２３に示すように、マスターキーＫｂの強制解除溝３１は、第３番目〜第７番目までのタンブラーＴ３〜Ｔ７に対応する領域Ｌ１に形成され、第１番目〜第２番目までのタンブラーＴ１〜Ｔ２に対応する領域には、タンブラーＴ１〜Ｔ２の一方の縦向き板部２０Ｄに形成されている強制解除溝３１との干渉を回避するための回避溝３３が形成されている。
【００６４】
そのため、マスターキーＫｂの一側面には、少なくとも第１番目〜第２番目までのタンブラーＴ１〜Ｔ２の両係合部２２を外筒１の両被係合溝１Ｂから離脱した係合解除状態に作動させる円錐状に窪む解除作動凹部２８(又は、解除作動用平滑面２８Ａ)が形成されている。
【００６５】
そして、第１番目〜第２番目までのタンブラーＴ１〜Ｔ２を係合解除させるためのマスターキーＫｂの解除作動凹部２８(又は、解除作動用平滑面２８Ａ)の解除コードが、マスターキーＫｂの使用を階層別やゾーン別に区別するための識別コードに設定されている。
【００６６】
同じく、交換キーＫｃの強制解除溝３２も、図２０、図２１に示すように、第２番目〜第７番目までのタンブラーＴ２〜Ｔ７に対応する領域に形成され、第８番目のタンブラーＴ８に対応する領域には、タンブラーＴ８の一方の縦向き板部２０Ｄに形成されている解除作動面２７との干渉を回避するための回避溝３４が形成されている。
【００６７】
そのため、交換キーＫｃの一側面には、少なくとも第１番目のタンブラーＴ１の両係合部２２を外筒１の両被係合溝１Ｂから離脱した係合解除状態に作動させる円錐状に窪む解除作動凹部２８(又は、解除作動用平滑面２８Ａ)が形成されている。
【００６８】
そして、第１番目のタンブラーＴ１を係合解除させるための交換キーＫｃの解除作動凹部２８(又は、解除作動用平滑面２８Ａ)の解除コードが、交換キーＫｃの使用を階層別やゾーン別に区別するための識別コードに設定されている。
【００６９】
最後端のタンブラー装着孔５に装着される脱着用の第８番目のタンブラーＴ８のタンブラー本体３５には、キー挿入孔４に臨む略矩形状のキー係合孔３６が貫通形成されているとともに、この第８番目のタンブラーＴ８の係合移動側（図の上方側）の横幅方向両側部３５Ａに突出形成された腕部３７と、当該両腕部３７と係脱方向で相対向する内筒６の内面に形成されたバネ受け部６Ｇとの間の各々には、第８番目のタンブラーＴ８を係脱方向の係合側に移動付勢する弾性体の一例である圧縮コイルバネ２６が設けられている。
【００７０】
内筒６の第1番目〜第８番目までの各タンブラー装着孔５の内面５ａにおける左右方向の両端部には、圧縮コイルバネ２６を装着するための円弧状の装着ガイド面５ｃが形成されている。
【００７１】
第８番目のタンブラーＴ８の可動方向の両端には、図１５(ｈ)、図１８〜図２０に示すように、外筒１の内周面における被係合溝１Ｂの後端相当部位に形成された略環状の係合段部１Ｃに対して筒径方向から係脱自在な円弧状の係合部３８が形成されている。
【００７２】
そして、内筒６のキー挿入孔４に交換キーＫｃを差し込み操作すると、交換キーＫｃの先端部に形成されている傾斜姿勢のカム面３９が、第８番目のタンブラーＴ８のキー係合孔３６の開口縁に当接して、第８番目のタンブラーＴ８の係合部３８を外筒１の係合段部１Ｃから係合離脱した係合解除状態に作動される。
【００７３】
また、図２、図１４、図１５に示すように、第1番目〜第８番目のタンブラーＴ１〜Ｔ８の各々の係合解除移動側（図の下方側）中央部位には、タンブラー装着孔５からの抜け出しを阻止する頭部４０ａ付のタンブラー止めピン４０が挿通される取付け孔４１が形成され、各取付け孔４１は、タンブラーＴ１〜Ｔ８の係脱方向の作動を許容する長孔に構成されている。
【００７４】
内筒６の先端部には、図３〜図５、図１８〜図２０に示すように、タンブラー止めピン４０の挿入孔４２及びタンブラー止めピン４０の頭部４０ａが嵌まり込む大径の頭部収納凹部４３が形成されている。
【００７５】
なお、シリンダー錠を構成する外筒１、ケース２、蓋カバー３、内筒６、回転作動体７、デットボルト８、タンブラーＴ、キーＫを構成する樹脂材料としては、ＰＡ６樹脂（六ナイロン）、ＡＢＳ樹脂(アクリロニトリル-ブタジエン-スチレン)、ＰＯＭ樹脂(ポリアセタールまたはポリオキシメチレン)等がある。
【００７６】
〔その他の実施形態〕
（１）上述の実施形態では、タンブラーＴの両横向き板部２０Ａ，２０Ｂのうち、係合解除移動側（図の下方側）に位置する横向き板部２０Ｂ側の両補強体２３の一方を選択してキー係合孔２１内に突出するピン部２４に構成したが、係合移動側（図の上方側）に位置する横向き板部２０Ａ側の両補強体２３の一方を選択してキー係合孔２１内に突出するピン部２４に構成してもよい。
また、両横向き板部２０Ａ，２０Ｂに形成される補強体２３の一つ又は二つを選択してキー係合孔２１内に突出するピン部２４に構成してもよい。
【００７７】
（２）上述の実施形態では、タンブラーＴの両横向き板部２０Ａ，２０Ｂの夫々に補強体２３を形成したが、係合解除移動側（図の下方側）に位置する横向き板部２０Ｂ又は係合移動側（図の上方側）に位置する横向き板部２０Ａにのみ補強体２３を形成してもよい。
【００７８】
（３）上述の実施形態では、タンブラーＴの全ての補強体２３の他端部を、両係合部２２の先端にまで延出して、タンブラー本体２０と両係合部２２とにわってって補強体２３を一体形成したが、この補強体２３をタンブラー本体２０にだけ形成してもよい。
【００７９】
（４）上述の実施形態では、補強体２３をタンブラーＴの表裏両面に隆起形成したが、この補強体２３をタンブラーＴの表面又は裏面の一方にだけ隆起形成してもよい。
【００８０】
（５）上述の実施形態では、シリンダー錠を構成する外筒１、ケース２、蓋カバー３、内筒６、回転作動体７、デットボルト８、タンブラーＴ、キーＫを樹脂から構成したが、タンブラーＴのみを樹脂で構成してもよい。
さらに、シリンダー錠を構成する外筒１、ケース２、蓋カバー３、内筒６、回転作動体７、デットボルト８、タンブラーＴ、キーＫを金属から構成してもよく、さらに、セラミックス等の非金属から構成してもよい。
【００８１】
（６）上述の実施形態では、内筒６と一体的に回転する回転作動体７によってデットボルト８を施錠操作位置と解錠操作位置とにスライド移動させるように構成したが、内筒６の回転によって施錠状態と解錠状態とに切り替える構造としては種々の錠作動構造が存在し、何れの錠作動構造を採用してもよい。
【産業上の利用可能性】
【００８２】
以上説明したように、構造の簡素化と組付け作業の容易化及び製造コストの低廉化を図りながら板状のタンブラーを頑丈に構成することのできるシリンダー錠を提供することができる。
【符号の説明】
【００８３】
Ｋ        キー
Ｔ        タンブラー
Ｔ１      タンブラー
Ｔ２      タンブラー
Ｔ３      タンブラー
Ｔ４      タンブラー
Ｔ５      タンブラー
Ｔ６      タンブラー
Ｔ７      タンブラー
１        外筒
１Ｂ      被係合部（被係合溝）
１Ｃ      被係合部（係合段部）
１ａ      前面開口部
４        キー挿入孔
５        タンブラー装着孔
６        内筒
２１      キー係合孔
２２      係合部
２３      補強体
２４      ピン部
２６      弾性体（圧縮コイルバネ）
３８      係合部
【図１】
2015081472.tif 000003
【図２】
2015081472.tif 000004
【図３】
2015081472.tif 000005
【図４】
2015081472.tif 000006
【図５】
2015081472.tif 000007
【図６】
2015081472.tif 000008
【図７】
2015081472.tif 000009
【図８】
2015081472.tif 000010
【図９】
2015081472.tif 000011
【図１０】
2015081472.tif 000012
【図１１】
2015081472.tif 000013
【図１２】
2015081472.tif 000014
【図１３】
2015081472.tif 000015
【図１４】
2015081472.tif 000016
【図１５】
2015081472.tif 000017
【図１６】
2015081472.tif 000018
【図１７】
2015081472.tif 000019
【図１８】
2015081472.tif 000020
【図１９】
2015081472.tif 000021
【図２０】
2015081472.tif 000022
【図２１】
2015081472.tif 000023
【図２２】
2015081472.tif 000024
【図２３】
2015081472.tif 000025